(57)【要約】除加湿装置、除湿空気清浄機、加湿空気清浄機、及びその動作方法が開示される。除加湿装置は、ハウジングと、ハウジングの内部に備えられ、外気がハウジングの内部に吸入された後、再び外部に吐出されるように空気の流れを発生させる送風ファンと、ハウジングの内部に備えられ、空気と熱交換して空気を除湿する熱交換器と、ハウジングの内部に備えられ、空気を加湿させる加湿フィルターと、空気が熱交換器と送風ファンとを通過するようにハウジングの内部に形成される第１流路と、空気が熱交換器、加湿フィルター、及び送風ファンを通過するようにハウジングの内部に形成される第２流路と、ハウジングの内部に備えられ、第１流路の少なくとも一部を開閉する可変流路部と、を含むことができる。
2018500531.tif 000002
【特許請求の範囲】
【請求項１】
ハウジングと、
前記ハウジングの内部に備えられ、外気が前記ハウジングの内部に吸入された後、再び外部に吐出されるように空気の流れを発生させる送風ファンと、
前記ハウジングの内部に備えられ、空気と熱交換して空気を除湿する熱交換器と、
前記ハウジングの内部に備えられ、空気を加湿させる加湿フィルターと、
空気が前記熱交換器と前記送風ファンとを通過するように前記ハウジングの内部に形成される第１流路と、
空気が前記熱交換器、前記加湿フィルター、及び前記送風ファンを通過するように前記ハウジングの内部に形成された第２流路と、
前記ハウジングの内部に備えられ、前記第１流路の少なくとも一部を開閉する可変流路部と、
を含む、除加湿装置。
【請求項２】
前記可変流路部は、前記加湿フィルターが加湿動作を行う間、前記第１流路の少なくとも一部を閉鎖するように構成され、前記熱交換器が除湿動作を行う間、前記第１流路を開放するように構成される、請求項１に記載の除加湿装置。
【請求項３】
前記可変流路部は、前記第１流路の少なくとも一部を閉鎖する場合、前記第１流路に流入された空気を前記加湿フィルターにガイドするように構成される、請求項１に記載の除加湿装置。
【請求項４】
前記第１流路及び前記第２流路は、前記ハウジングの内部に互いに隣接して平行に配置され、
前記熱交換器は、本体が前記第１流路と前記第２流路とにわたって配置されるように構成され、
前記加湿フィルターは、前記第２流路に配置されるよう構成される、請求項３に記載の除加湿装置。
【請求項５】
前記可変流路部は、
前記第１流路において前記熱交換器と前記送風ファンの間で回転可能に備えられ、前記第１流路の少なくとも一部を閉鎖する場合、前記加湿フィルター側に向かって傾斜して配置され、前記第１流路を開放する場合、前記加湿フィルターの反対側に向かって傾斜して配置されるガイド膜と、
前記ガイド膜を回転させる駆動モータと、
を含む、請求項４に記載の除加湿装置。
【請求項６】
前記ガイド膜は、先端の一部が前記ガイド膜の回転方向の逆方向に曲がることができるように構成される、請求項５に記載の除加湿装置。
【請求項７】
前記ガイド膜の先端と前記第１流路の外側先端の間に連結され、外力によって縮むか伸びる密閉膜をさらに含む、請求項５に記載の除加湿装置。
【請求項８】
ハウジングと、
前記ハウジングの内部に備えられる空気浄化フィルターと、
ハウジングの内部において前記空気浄化フィルターの後方に備えられる熱交換器と、
前記空気浄化フィルターを通過した空気が前記熱交換器をバイパスして流動する経路を構成する可変流路と、
前記可変流路を開閉する流路開閉手段と、
を含む、除湿空気清浄機。
【請求項９】
前記熱交換器は、前記空気浄化フィルターよりも面積が小さく構成され、
前記可変流路は、前記空気浄化フィルターと前記熱交換器の外縁を支持するように前記ハウジングの内部に備えられるフレーム部と前記熱交換器の外縁との間の空間に対応する、請求項８に記載の除湿空気清浄機。
【請求項１０】
前記流路開閉手段は、前記フレーム部に回転可能に備えられ、前記可変流路を閉鎖する場合、前記可変流路の方向に流動する空気を前記熱交換器にガイドするガイドプレートを含む、請求項９に記載の除湿空気清浄機。
【請求項１１】
前記流路開閉手段は、前記フレーム部に備えられ、前記ガイドプレートを回転させる駆動部をさらに含む、請求項１０に記載の除湿空気清浄機。
【請求項１２】
前記流路開閉手段は、前記ガイドプレートの先端に備えられ、前記可変流路が閉鎖される場合に曲がって前記熱交換器の本体に密着される弾性材料部を含む、請求項１０に記載の除湿空気清浄機。
【請求項１３】
前記流路開閉手段は、空気を浄化するときに前記可変流路を開放し、空気を除湿するときに前記可変流路を閉鎖する、請求項８に記載の除湿空気清浄機。
【請求項１４】
前記熱交換器の後方に備えられる送風ファンを含む、請求項８に記載の除湿空気清浄機。
【請求項１５】
内部に流入される空気を浄化する清浄部と、
前記清浄部を通過した空気に水分を供給する加湿部と、
空気の流れを形成して外気を内部に流入させた後、外部に吐出させる送風部と、
空気流路の一部を開閉する可変流路部と、
外気の湿度を測定するセンサー部と、
入力信号、または前記センサー部から伝達された湿度値に基づいて前記可変流路部の開閉を制御する制御部と、
を含む、加湿空気清浄機。
【請求項１６】
前記空気流路は、空気が前記清浄部のみを通過する第１流路と、空気が前記清浄部と前記加湿部との双方を通過する第２流路と、を含む、請求項１５に記載の加湿空気清浄機。
【請求項１７】
前記可変流路部は、前記制御部の制御に応じて前記第１流路を開閉する、請求項１６に記載の加湿空気清浄機。
【請求項１８】
前記制御部は、前記加湿空気清浄機の加湿動作を開始するとき、前記可変流路部を制御して前記第１流路を閉鎖する、請求項１６に記載の加湿空気清浄機。
【請求項１９】
前記制御部は、前記加湿動作を行う間、前記センサー部が周期的に湿度を測定するように制御し、測定された湿度値が予め設定された適正湿度範囲内に含まれる場合、前記可変流路部を制御して前記第１流路を開放する、請求項１８に記載の加湿空気清浄機。
【請求項２０】
前記制御部は、測定された湿度値が予め設定された湿度を超えると、前記加湿動作を中断するように制御する、請求項１９に記載の加湿空気清浄機。
【請求項２１】
前記加湿部は、
水を保存する水槽と、
下端が前記水槽に保存された水に漬けられ、自然気化式で空気に水分を供給する加湿フィルターと、を含む、請求項１５に記載の加湿空気清浄機。
【請求項２２】
前記可変流路部は、
前記第１流路において前期清浄部と前記送風部の間で回転可能に備えられ、前記第１流路に流動する空気をガイドするガイド膜と、
前記ガイド膜の回転軸に連結されて前記ガイド膜を回転させる駆動モータと、を含む、請求項１６に記載の加湿空気清浄機。
【請求項２３】
加湿空気清浄機の加湿動作が開始されるとき、加湿空気清浄機の空気流路の一部を閉鎖する段階と、
前記加湿動作を行う間、周期的に湿度を測定する段階と、
測定された湿度値が予め設定された適正湿度範囲内に含まれる場合、閉鎖された空気流路を開放する段階と、
を含む、加湿空気清浄機の動作方法。
【請求項２４】
前記測定された湿度値が予め設定された湿度を超えると、前記加湿動作を中断する段階をさらに含む、請求項２３に記載の加湿空気清浄機の動作方法。
【請求項２５】
前記空気流路は、空気が空気浄化フィルターのみを通過する第１流路と、空気が前記空気浄化フィルターと加湿フィルターとの双方を通過する第２流路と、を含み、
前記加湿空気清浄機の空気流路の一部を閉鎖する段階は、前記第１流路を閉鎖する、請求項２３に記載の加湿空気清浄機の動作方法。
【発明の詳細な説明】
【技術分野】
【０００１】
本発明は、除加湿装置、除湿空気清浄機、加湿空気清浄機、及びその動作方法に関するものである。
【背景技術】
【０００２】
一般に、除加湿装置は、除湿機能、加湿機能、及び空気清浄機能を備える。
【０００３】
かかる除加湿装置は、様々な除湿方式及び加湿方式を用いて実現されることができる。除湿効率が良い熱交換器方式は、除湿方式として、広く用いられており、また、加湿フィルターを用いる自然気化方式は、加湿方式として広く用いられている。
【０００４】
一般に、熱交換器方式と自然気化方式を採用した除加湿装置は、ハウジングの内部に形成される１つの流路上に熱交換器と加湿フィルターとを備える。
【０００５】
しかしながら、一般に、熱交換器の面積が加湿フィルターの面積よりも広いため、加湿フィルターの上方には、空き空間、すなわち、いかなる空気処理も行われないデッドスペース（Ｄｅａｄ  Ｓｐａｃｅ）が形成される。
【０００６】
従来の技術による除加湿装置には、このデッドスペースにより、加湿時に加湿フィルターを通過せずに室内に吐出される空気が存在するため、風量に比べて加湿量が低いという短所がある。
【０００７】
したがって、加湿時にハウジングの内部に吸入される空気のうち、できるだけ多くの量を加湿フィルターに通過させて加湿量を増大させる技術が必要である。
【０００８】
一方、除湿空気清浄機は、除湿動作を行う熱交換器と、空気浄化機能を行う空気浄化フィルターと、を含むことができ、製品の内部に吸入された空気は、空気浄化フィルターを通過しながら浄化されることができ、熱交換器を通過しながら除湿されることができる。
【０００９】
また、かかる除湿空気清浄機は、一つの送風ファンを用いて必要に応じて空気浄化動作と除湿動作とを行うために、空気浄化フィルターと熱交換器が一つの流路上に配置されることが一般的である。
【００１０】
空気浄化フィルターの面積を狭く且つ厚くすると、流動する空気の負圧が高くなる。熱交換器の面積を広く且つ薄くすると、空気との熱交換時間が減少するため除湿性能が低下する。そのため、空気浄化フィルターの吸入面積は、熱交換器の吸入面積よりも比較的大きく製作することが一般的である。
【００１１】
従来の技術による除湿空気清浄機には、上述の空気浄化フィルターと熱交換器の吸入面積の差が原因で、熱交換器に向かる流路が大幅に狭くなり、その結果、空気の吸入量が減る。その結果、空気浄化性能が低くなるという短所がある。
【００１２】
しかし、これを解決するために、熱交換器に向かう流路を熱交換器の縁から離れるように拡張すると、除湿動作時に熱交換器を通過せずにバイパスする空気の量が増加し、除湿性能が低下するという短所がある。
【００１３】
また、かかる短所を解決するために、熱交換器のサイズを増大させて製作すると、製品のコストが大幅に上昇するという短所がある。
【００１４】
一方、加湿空気清浄機は、空気に含まれている汚染物質を浄化する空気清浄機能に加えて、空気に水分を供給する加湿機能を備える。
【００１５】
かかる加湿空気清浄機は、様々な加湿方式で実現されることができる。特に下部が水槽に入れられた加湿フィルターを用いて、空気に水分を供給する自然気化方式は、広く用いられている。
【００１６】
このように、自然気化方式を採用した加湿空気清浄機は、内部流路に空気浄化フィルターと加湿フィルターとを備えることができる。一般に、空気浄化フィルターの面積が加湿フィルターの面積よりも広いため、加湿フィルターの上部には、空き空間、すなわち、いかなる空気処理も行われないデッドスペース（Ｄｅａｄ  Ｓｐａｃｅ）が形成される。
【００１７】
この場合、このデッドスペースにより、加湿時に加湿フィルターを通過せずに室内に吐出される空気が存在するため、風量に比べて加湿量が低いという短所がある。
【発明の概要】
【発明が解決しようとする課題】
【００１８】
本発明は、上記従来技術の問題点の少なくとも一部を解決するためになされたもので、一側面として、加湿時にはハウジング内部の流路を加湿フィルターの方向に集中させることができる除加湿装置を提供することを目的とする。
【００１９】
また、本発明は、上記従来技術の問題点の少なくとも一部を解決するためになされたもので、一側面として、熱交換器のサイズを増大させることなく、空気浄化性能と除湿性能とを向上させることができる除湿空気清浄機を提供することを目的とする。
【００２０】
また、本発明は、上記従来技術の問題点の少なくとも一部を解決するためになされたもので、一側面として、加湿効率を高めるとともに適正湿度を維持することができる加湿空気清浄機を提供することを目的とする。
【課題を解決するための手段】
【００２１】
上記目的の少なくとも一部を達成するための一側面として、本発明は、ハウジングと、前記ハウジングの内部に備えられ、外気が前記ハウジングの内部に吸入された後、再び外部に吐出されるように空気の流れを発生させる送風ファンと、前記ハウジングの内部に備えられ、空気と熱交換して空気を除湿する熱交換器と、前記ハウジングの内部に備えられ、空気を加湿させる加湿フィルターと、空気が前記熱交換器と前記送風ファンとを通過するように前記ハウジングの内部に形成される第１流路と、空気が前記熱交換器、前記加湿フィルター、及び前記送風ファンを通過するように前記ハウジングの内部に形成された第２流路と、前記ハウジングの内部に備えられ、前記第１流路の少なくとも一部を開閉する可変流路部と、を含む、除加湿装置を提供する。
【００２２】
上記目的の少なくとも一部を達成するための一側面として、本発明は、ハウジングと、前記ハウジングの内部に備えられる空気浄化フィルターと、ハウジングの内部において前記空気浄化フィルターの後方に備えられる熱交換器と、前記空気浄化フィルターを通過した空気が前記熱交換器をバイパスして流動する経路を構成する可変流路と、前記可変流路を開閉する流路開閉手段と、を含む、除湿空気清浄機を提供する。
【００２３】
上記目的の少なくとも一部を達成するための一側面として、本発明は、内部に流入される空気を浄化する清浄部と、前記清浄部を通過した空気に水分を供給する加湿部と、空気の流れを形成して外気を内部に流入させた後、外部に吐出させる送風部と、空気流路の一部を開閉する可変流路部と、外気の湿度を測定するセンサー部と、入力信号、または前記センサー部から伝達された湿度値に基づいて前記可変流路部の開閉を制御する制御部と、を含む、加湿空気清浄機を提供する。
【００２４】
上記目的の少なくとも一部を達成するための一側面として、本発明は、加湿空気清浄機の加湿動作が開始されるとき、加湿空気清浄機の空気流路の一部を閉鎖する段階と、前記加湿動作を行う間、周期的に湿度を測定する段階と、測定された湿度値が予め設定された適正湿度範囲内に含まれる場合、閉鎖された空気流路を開放する段階と、を含む、加湿空気清浄機の動作方法を提供する。
【００２５】
さらに、上記課題の解決手段は本発明の特徴をすべて列挙したものではない。本発明の様々な特徴、及びそれによる長所と効果は、以下の具体的な実施形態を参照することにより、より詳細に理解されることができる。
【発明の効果】
【００２６】
本発明の一実施形態によれば、空気を加湿するときに空気を加湿フィルターに集中させることができ、加湿量が増大するという効果を得ることができる。
【００２７】
また、本発明の一実施形態によれば、空気を除湿するときに除湿効率が向上するとともに、空気を浄化するときに空気浄化効率が向上するという効果を得ることができる。
【００２８】
なお、本発明の一実施形態によれば、熱交換器を縮小製作することができ、製品のコストが減少するという効果を得ることができる。
【００２９】
さらに、本発明の一実施形態によれば、加湿空気清浄機の加湿効率を高めるとともに適正湿度を維持することができる。
【図面の簡単な説明】
【００３０】
【図１】本発明の一実施形態による除加湿装置の加湿動作時を示す側断面図である。
【図２】図１に示した除加湿装置の除湿動作時を示す側断面図である。
【図３】図１に示した除加湿装置に含まれる可変流路部の流路可変動作を示す側断面図である。
【図４】図１に示した除加湿装置に含まれる可変流路部を示す斜視図である。
【図５】本発明の他の実施形態による除加湿装置の加湿動作時を示す側断面図である。
【図６】図５に示した除加湿装置の除湿動作時を示す側断面図である。
【図７】本発明の一実施形態による除湿空気清浄機の可変流路が開放された状態を示す側断面図である。
【図８】図７に示した除湿空気清浄機の可変流路が閉鎖された状態を示す側断面図である。
【図９】図７に示した除湿空気清浄機に含まれる流路開閉手段の斜視図である。
【図１０】本発明の一実施形態による加湿空気清浄機の構成ブロック図である。
【図１１】本発明の一実施形態による加湿空気清浄機の流路の一部を閉鎖した場合を示す側断面図である。
【図１２】本発明の一実施形態による加湿空気清浄機の流路を開放した場合を示す側断面図である。
【図１３】図１０に示す加湿空気清浄機に備えられた可変流路部の一実施形態を示す斜視図である。
【図１４】本発明の他の実施形態による加湿空気清浄機の動作方法のフロー図である。
【発明を実施するための形態】
【００３１】
以下、添付の図面を参照して、本発明が属する技術分野において通常の知識を有する者が本発明を容易に実施することができるように好ましい実施形態を詳細に説明する。但し、本発明の好ましい実施形態を詳細に説明するにあたり、関連した公知の機能または構成に関する具体的な説明が本発明の要旨を不明にする可能性があると判断される場合はその詳細な説明を省略する。また、同様の機能及び作用をする部分は、図面全体にわたって同一の符号を使用する。
【００３２】
なお、明細書全体において、ある部分が他の部分と「連結」されるとする場合、これは「直接的に連結」される場合だけでなく、その中間に他の素子を介して「間接的に連結」される場合も含む。また、ある構成要素を「含む」というのは、特に反対される記載がない限り他の構成要素を除外するのではなく、他の構成要素をさらに含むことができることを意味する。
【００３３】
まず、図１〜図４を参照して、本発明の一実施形態による除加湿装置について説明する。
【００３４】
図１〜図４に示すように、本発明の一実施形態による除加湿装置１００は、ハウジング１１０、送風ファン１２０、凝縮器１３０、熱交換器１４０、水槽１５０、加湿フィルター１６０、空気浄化フィルター１７０、第１流路Ｐ１、第２流路Ｐ２、及び可変流路部１８０を含むことができる。
【００３５】
上記ハウジング１１０は、本発明の一実施形態による除加湿装置１００の外部構造を形成するもので、外気がハウジング１１０の内部に吸入されることができる空気吸入部１１２と、ハウジング１１０の内気が外部に吐出されることができる空気吐出部１１４と、を備えることができる。
【００３６】
上記送風ファン１２０は、ハウジング１１０の内部に備えられ、外気が空気吸入部１１２を介してハウジング１１０の内部に吸入された後、空気吐出部１１４を介して再び外部に吐出されるように空気の流れを発生させることができる。
【００３７】
一実施形態において、送風ファン１２０は、空気の流動方向を基準として、後述の加湿フィルター１６０の後端に備えられる遠心型送風機で構成されることができるが、これに限定されるものではない。
【００３８】
凝縮器１３０は、ハウジング１１０の内部に備えられ、凝縮された冷媒を後述の熱交換器１４０に提供することができる。かかる凝縮器１３０は、熱交換器１４０とともに空気を除湿するための冷凍サイクルを構成することができる。
【００３９】
一実施形態において、凝縮器１３０は、熱交換器１４０の前端に備えられるが、これに限定されるものではない。
【００４０】
熱交換器１４０は、ハウジング１１０の内部に備えられ、空気と熱交換することで空気を除湿することができる。
【００４１】
かかる熱交換器１４０は、凝縮器１３０から凝縮された冷媒の供給を受け、内部で冷媒の蒸発作用を用いて空気を冷却することで、空気中の水分を除去する蒸発器で構成されることができるが、これに限定されるものではない。
【００４２】
一実施形態において、熱交換器１４０は、凝縮器１３０の後端に配置されることができ、後述するように第１流路Ｐ１と第２流路Ｐ２とにわたって配置されることができる。
【００４３】
上述した構造により、熱交換器１４０は、除湿時には、第１流路Ｐ１及び第２流路Ｐ２を通過する空気を除湿することができる。
【００４４】
上記水槽１５０は、ハウジング１１０の内部に備えられ、加湿用の水を保存することができる。かかる水槽１５０は、後述するように加湿に用いられる水を後述の加湿フィルター１６０に提供することができる。
【００４５】
加湿フィルター１６０は、ハウジング１１０の内部に備えられ、通過する空気に水分を供給することにより空気を加湿することができる。
【００４６】
一実施形態において、加湿フィルター１６０は、下端の一部が上記水槽１５０に保存された水に入れられる浸漬型自然気化式フィルターで構成されることができるが、これに限定されるものではなく、回転式フィルターで構成されることもできる。
【００４７】
加湿フィルター１６０は、水槽１５０に備えられ、後述するように第２流路Ｐ２上において熱交換器１４０の後端に配置されることができる。
【００４８】
空気浄化フィルター１７０は、ハウジング１１０の内部に備えられ、ハウジング１１０に吸入された空気を浄化させることができる。一実施形態において、空気浄化フィルター１７０は、凝縮器１３０の前端に備えられることができるが、これに限定されるものではない。
【００４９】
本発明の一実施形態において、空気浄化フィルター１７０は、特に限定されることはなく、様々な機能を有する複数のフィルターで構成されることができる。
【００５０】
第１流路Ｐ１は、ハウジング１１０の内部空間のうち一部分を構成し、空気が熱交換器１４０と送風ファン１２０とを通過するように形成されることができる。
【００５１】
すなわち、第１流路Ｐ１は、空気が凝縮器１３０と熱交換器１４０とを通過した後、送風ファン１２０に直接流入する空間部分である。
【００５２】
第２流路Ｐ２は、ハウジング１１０の内部空間のうち一部分を構成し、空気が、熱交換器１４０、加湿フィルター１６０、及び送風ファン１２０を通過するように形成されることができる。
【００５３】
すなわち、第２流路Ｐ２は、空気が、凝縮器１３０、熱交換器１４０を通過してから加湿フィルター１６０を通過した後、送風ファン１２０に流入する空間部である。
【００５４】
図１〜図３に示すように、一実施形態において、第１流路Ｐ１と第２流路Ｐ２は、ハウジング１１０の内部に互いに平行に位置するよう形成されることができる。
【００５５】
換言すると、第１流路Ｐ１と第２流路Ｐ２の概念は、送風ファン１２０によって空気が流動する空間のうち、流動経路上に加湿フィルター１６０が配置される部分と配置されていない部分とを区分するものである。さらに、第１流路Ｐ１と第２流路Ｐ２は、第１流路Ｐ１と第２流路Ｐ２の間に空気の往来がないようにそれぞれが互いに分離されたダクト構造物を形成するものではない。
【００５６】
可変流路部１８０は、ハウジング１１０の内部に備えられ、第１流路Ｐ１の少なくとも一部を選択的に開閉することができる。
【００５７】
上述した動作を実現するために、一実施形態において、可変流路部１８０は、図４に示すように、ガイド膜１８２と駆動モータ１８６とを含むことができる。
【００５８】
ガイド膜１８２は、第１流路Ｐ１上に備えられ、第１流路Ｐ１に流動する空気をガイドすることができるプレート状の部材である。
【００５９】
一実施形態において、ガイド膜１８２は、第１流路Ｐ１において熱交換器１４０と送風ファン１２０の間で回転可能に備えられることができる。
【００６０】
ガイド膜１８２は、図１に示すように下方に回転して第１流路Ｐ１の少なくとも一部を閉鎖する場合、加湿フィルター１６０に向かって下方傾斜するよう配置されることができ、また、図２に示すように上方に回転して第１流路Ｐ１を開放する場合、加湿フィルター１６０の反対側、すなわち、第１流路Ｐ１の上端に向かって上方傾斜するよう配置されることができる。
【００６１】
ガイド膜１８２は、ハウジング１１０内部のフレーム１１６に備えられた回転軸１８４の支持部１１８に回転可能に結合されることができる。
【００６２】
一方、一実施形態において、図３に示すように、ガイド膜１８２は、先端の一部がガイド膜１８２の回転方向の逆方向に曲がることができるよう形成されることができる。この場合、図３に示すように、ガイド膜が回転するとき、熱交換器１４０の本体またはハウジング１１０の内部の構造物に干渉する場合でも、ガイド膜１８２は、柔軟に曲がって円滑に回転することができる。
【００６３】
一例として、ガイド膜１８２は、第１流路Ｐ１に送風される空気の風圧に抵抗することができる程度の剛性を有する材料からなり、且つ先端の一部に柔軟に曲がることができる弾性を有する素材を取り付けてなる形態で構成されることができるが、これに限定されるものではなく、全体が一つの材料からなり、且つ先端の一部が曲がることができるよう薄い厚さで構成されることもできる。
【００６４】
駆動モータ１８６は、ガイド膜１８２の回転軸１８４に連結されてガイド膜１８２を回転させることができる。
【００６５】
一実施形態において、駆動モータ１８６は、回転角度を調節できるステッピングモータで構成されることができる。
【００６６】
駆動モータ１８６は、本発明の一実施形態による除加湿装置１００の加湿動作及び除湿動作を制御する制御部（図示せず）によって制御されることができる。
【００６７】
一実施形態において、制御部は、空気を加湿するときに、ガイド膜１８２が下方傾斜して配置されるように駆動モータ１８６を制御し、また、空気を除湿するときに、ガイド膜１８２が上方傾斜して配置されるように、駆動モータ１８６を制御することができる。
【００６８】
上述したような構成を有する可変流路部１８０は、加湿フィルター１６０が加湿動作を行う間、ガイド膜１８２を図１に示すように下方傾斜するよう配置されて、第１流路Ｐ１の少なくとも一部を閉鎖することができる。
【００６９】
この場合、可変流路部１８０は、第１流路Ｐ１に流入されて熱交換器１４０を通過した空気を加湿フィルター１６０に向けてガイドすることができる。
【００７０】
この場合、ハウジング１１０の内部に吸入された空気のうち大部分は、加湿フィルター１６０を通過することができるようになる。
【００７１】
逆に、熱交換器１４０が除湿動作を行う間、図２に示すように、可変流路部１８０は、ガイド膜１８２を上方傾斜するよう配置されて、第１流路Ｐ１を開放することができる。
【００７２】
この場合、第１流路Ｐ１に流動する空気は、熱交換器１４０の上部を通過した後、送風ファン１２０に流動することができ、第２流路Ｐ２に流動する空気は、熱交換器１４０の下部を通過した後、送風ファン１２０に流動することができる。
【００７３】
ここで、熱交換器１４０が除湿動作を行う間、第２流路Ｐ２から加湿フィルター１６０を排除するか、または、水槽１５０の水を除去することができる。
【００７４】
次に、図５及び図６を参照して、本発明の他の実施形態による除加湿装置１００’について説明する。
【００７５】
図５及び図６に示すように、本発明の他の実施形態による除加湿装置１００’は、図１〜図４を参照して上述した本発明の一実施形態による除加湿装置１００とは異なり、密閉膜１９０をさらに含むことができる。
【００７６】
密閉膜１９０は、ガイド膜１８２の先端と第１流路Ｐ１の外側先端との間に連結され、外力によって縮むか伸びることができる。
【００７７】
他の一実施形態において、密閉膜１９０は、空気を通さない材料からなることができる。
【００７８】
密閉膜１９０は、図５に示すように、空気を加湿するときにガイド膜１８２が下方傾斜するように配置されることで、ガイド膜１８２の先端が第１流路Ｐ１を閉鎖することができる。
【００７９】
この場合、第１流路Ｐ１に流動する空気は、ガイド膜１８２の上方に形成されるデッドスペースに流入されず、密閉膜１９０によって直ちに第２流路Ｐ２の方向にガイドされるようになる。
【００８０】
したがって、本発明の他の実施形態による除加湿装置１００’は、図１〜図４を参照して上述した本発明の一実施形態による除加湿装置１００に比べて、空気を加湿するときの空気の流動特性が簡素化するため、比較的風量が向上するという長所がある。
【００８１】
一方、加湿時のガイド膜１８２が上方傾斜するよう配置されると、密閉膜１９０は、図６に示すように縮んで、第１流路Ｐ１から排除される。
【００８２】
本発明の実施形態による除加湿装置１００、１００’は、互いに異なる面積を有する熱交換器１４０と加湿フィルター１６０を一つの流路上に配置する構造であっても、空気を加湿するときに流路を転換させることにより、吸入された空気の大部分が加湿フィルター１６０を通過するようにすることで加湿量を増大させるという長所がある。
【００８３】
次に、図７〜図９を参照して、本発明の一実施形態による除湿空気清浄機について説明する。
【００８４】
図７〜図９に示すように、本発明の一実施形態による除湿空気清浄機２００は、ハウジング２１０、送風ファン２２０、加湿ユニット２３０、空気浄化フィルター２４０、凝縮器２５０、熱交換器２６０、可変流路２７０、及び流路開閉手段２８０を含むことができる。
【００８５】
ハウジング２１０は、本発明の一実施形態による除湿空気清浄機２００の外部構造を形成するもので、ハウジング２１０の内部に外気が吸入される空気吸入部２１２と、ハウジング２１０の内気が外部に吐出される空気吐出部２１４と、を備えることができる。
【００８６】
また、一実施形態において、ハウジング２１０の内部には、後述の空気浄化フィルター２４０と熱交換器２６０の外縁を支持することで、空気浄化フィルター２４０と熱交換器２６０をハウジング２１０の内部に据え付けるフレーム部２１６が備えられる。
【００８７】
フレーム部２１６は、空気吸入部２１２を介してハウジング２１０の内部に吸入された空気が空気浄化フィルター２４０と熱交換器２６０とを通過できるように流路を形成することができる。
【００８８】
送風ファン２２０は、ハウジング２１０の内部に備えられ、空気吸入部２１２から吸入された空気が、空気浄化フィルター２４０、熱交換器２６、及び加湿ユニット２３０を通過した後、空気吐出部２１４に吐出される空気の流れを発生させることができる。
【００８９】
一実施形態において、送風ファン２２０は、空気の流動方向を基準として、熱交換器２６０と加湿ユニット２３０の後方（空気の流動方向を基準として、空気が流れ出る後端方向）に配置されることができるが、これに限定されるものではない。
【００９０】
加湿ユニット２３０は、ハウジング２１０の内部に備えられ、通過する空気を加湿することができる。
【００９１】
加湿ユニット２３０の加湿方式及び構成は特に限定されない。
【００９２】
一例として、本発明の一実施形態による除加湿空気清浄機は、加湿ユニット２３０として、図７及び図８に示すように、自然気化加湿方式に用いられる加湿フィルターを採用しており、加湿フィルターに水を供給する水槽２３２を備えることもできるが、これに限定されるものではない。
【００９３】
一方、一実施形態において、加湿ユニット２３０は、後述の熱交換器２６０と送風ファン２２０の間に配置されることができるが、これに限定されるものではない。
【００９４】
空気浄化フィルター２４０は、ハウジング２１０の内部に備えられ、ハウジング２１０の内部に吸入された空気を浄化させることができる。
【００９５】
一実施形態において、空気浄化フィルター２４０は、図７及び図８に示すように、ハウジング２１０の内部において空気吸入部２１２の直後方に配置されることができる。
【００９６】
このように、空気浄化フィルター２４０が空気吸入部２１２の直後方に配置される構造には、ハウジング２１０の内部を通過する空気を、後述の凝縮器２５０、熱交換器２６０、及び加湿ユニット２３０に流入される前に浄化させることにより、空気浄化フィルター２４０の後方に配置された構成要素の汚染を防止することができるという長所がある。
【００９７】
一実施形態において、上記空気浄化フィルター２４０は、特に限定されず、様々な機能及び形態を有する複数のフィルターが重なり合ったフィルター組織体で構成されることもできる。
【００９８】
凝縮器２５０は、ハウジング２１０の内部に備えられ、冷媒を凝縮させることで、凝縮された冷媒を後述の熱交換器２６０に供給することができる。
【００９９】
凝縮器２５０は、特に限定されず、一般的に用いられる公知の様々な形態の凝縮器２５０で構成されることができる。
【０１００】
また、凝縮器２５０は、図７及び図８に示すように、空気浄化フィルター２４０と熱交換器２６０の間に配置されることもできるが、これに限定されるものではなく、ハウジング２１０の内部で様々な位置に配置されることができる。
【０１０１】
熱交換器２６０は、ハウジング２１０の内部において空気の流動方向を基準として、空気浄化フィルター２４０の後方に備えられることができる。
【０１０２】
熱交換器２６０は、冷媒の蒸発作用により、熱交換される空気の熱を吸収して空気中の水分を凝縮させることで除去することができる。
【０１０３】
一実施形態において、熱交換器２６０は、図７及び図８に示すように、空気浄化フィルター２４０よりも面積を小さく構成することができる。
【０１０４】
すなわち、熱交換器２６０は、空気浄化フィルター２４０と重ねた場合、空気浄化フィルター２４０の一部のみを覆う形態で構成されることができる。
【０１０５】
可変流路２７０は、空気浄化フィルター２４０を通過した空気が熱交換器２６０をバイパスして流動する経路を構成することができる。
【０１０６】
一実施形態において、可変流路２７０は、図７及び図８に示すように、フレーム部２１６と熱交換器２６０の縁との間の空間に対応することができる。
【０１０７】
可変流路２７０は、後述の流路開閉手段２８０によって開閉することができる。
【０１０８】
一実施形態において、凝縮器２５０と熱交換器２６０の外縁の一部には、凝縮器２５０と熱交換器２６０をハウジング２１０の内部に固定させるとともに、可変流路２７０を区画する支持リブ２６５がさらに備えられることができる。
【０１０９】
流路開閉手段２８０は、可変流路２７０を開閉できるように設けられる。
【０１１０】
流路開閉手段２８０は、本発明の一実施形態による除湿空気清浄機２００の空気を浄化するときに可変流路２７０を開放し、空気を除湿するときに可変流路２７０を閉鎖するように動作することができる。
【０１１１】
ここで、流路開閉手段２８０が可変流路２７０を閉鎖すると、流路開閉手段２８０は、空気浄化フィルター２４０を通過して可変流路２７０側に流動する空気を熱交換器２６０の方向にガイドすることができる。
【０１１２】
かかる動作を実現するために、一例として、流路開閉手段２８０は、ガイドプレート２８２、駆動部２８４、及び弾性材質部２８６を含むことができる。
【０１１３】
ガイドプレート２８２は、フレーム部２１６に備えられ、熱交換器２６０の方向に回転可能に構成されることができる。
【０１１４】
ガイドプレート２８２は、可変流路２７０を閉鎖することができる形状に構成されることで、可変流路２７０を閉鎖する場合、可変流路２７０の方向に流動する空気を熱交換器２６０の方向にガイドすることができる。
【０１１５】
また、駆動部２８４は、フレーム部２１６に備えられ、ガイドプレート２８２を回転させることができる。
【０１１６】
駆動部２８４は、ユーザーの制御命令に応じてガイドプレート２８２の可変流路２７０の開閉動作を行うこともでき、制御部（図示せず）に接続されて、本発明の一実施形態による除湿空気清浄機の除湿動作時に可変流路２７０を自動で閉鎖し、空気を浄化するときに可変流路２７０を自動で開放するようにガイドプレート２８２の可変流路２７０の開閉動作を行うこともできる。
【０１１７】
一実施形態において、駆動部２８４は、ガイドプレート２８２の回転角度を調節できるステッピングモータで構成され、可変流路２７０の開放面積を調節できるように動作することもできる。
【０１１８】
そして、弾性材質部２８６は、ガイドプレート２８２の先端に備えられ、可変流路２７０が閉鎖されるとき、図８に示すように、ガイドプレート２８２の本体が曲がって熱交換器２６０の本体に密着されることができる。
【０１１９】
弾性材質部２８６は、ガイドプレート２８２と支持リブ２６５との間に隙間が形成されないように支持リブ２６５に密着されることで、可変流路２７０を閉鎖したときに、可変流路２７０に空気が流入しないようにすることができる。
【０１２０】
また、弾性材質部２８６は、ガイドプレート２８２と支持リブ２６５との間の連結構造における緩衝作用を果たし、本発明の一実施形態による除湿空気清浄機２００の運転時に発生する振動がガイドプレート２８２に伝達されることを防止することにより、運転時の部品間の衝突による騒音の発生を防止することができる。
【０１２１】
一例として、弾性材質部２８６は、押出成形したＰＶＣにより構成することができるが、これに限定されるものではない。
【０１２２】
上述のような本発明の一実施形態による除湿空気清浄機２００は、空気を除湿するときに熱交換器２６０をバイパスする空気の流動を防止することで除湿効率を向上させることができ、また、空気を浄化するときの吸引面積が増大して空気浄化効率を向上させるという長所を有する。
【０１２３】
また、本発明の一実施形態による除湿空気清浄機２００は、熱交換器２６０のサイズを最適化することで製品のコストを節減することができるという長所を有する。
【０１２４】
図１０は本発明の一実施形態による加湿空気清浄機のブロック図である。
【０１２５】
図１０を参照すると、本発明の一実施形態による加湿空気清浄機３００は、清浄部３１０、加湿部３２０、送風部３３０、可変流路部３４０、センサー部３５０、及び制御部３６０を含んで構成されることができる。
【０１２６】
清浄部３１０は、加湿空気清浄機３００の内部に流入される空気に含まれる汚染物質を濾過するためのもので、例えば、加湿空気清浄機３００の内部に流入される空気中の汚染物質を吸着する方式などで汚染物質を除去することができる。
【０１２７】
清浄部３１０は、一つ以上の空気浄化フィルターを含むことができる。例えば、清浄部３１０は、前処理フィルター（ｐｒｅｆｉｌｔｅｒ）、機能性フィルター、ヘパフィルター（Ｈｉｇｈ  Ｅｆｆｉｃｉｅｎｃｙ  Ｐａｒｔｉｃｕｌａｔｅ  Ａｉｒ  ｆｉｌｔｅｒ；ＨＥＰＡ  ｆｉｌｔｅｒ）、脱臭フィルターなどの様々な種類のフィルターを含むことができる。ここで、前処理フィルターは、比較的大きなほこり、髪の毛、ペットの毛などを除去するためのものであり、機能性フィルターは、バクテリア(bacteria)、花粉(pollen)、家ダニ(house mites)、病原菌(germs)、微生物(microorganisms)などを除去するためのものであり、ヘパフィルターは、微細なほこり、室内のカビ(indoor mold)のような様々なウィルスなどを除去するためのものであり、脱臭フィルターは、室内の様々な悪臭や有害ガスなどを除去するためのものである。
【０１２８】
加湿部３２０は、加湿空気清浄機３００の内部に流入される空気に水分を供給するためのものである。例えば、加湿部３２０は、自然気化方式で空気に水分を供給することができる。この場合、加湿部３２０は、図１１及び図１２を参照して後述するように、水槽３２１と加湿フィルター３２２とを含むことができる。
【０１２９】
加湿空気清浄機３００内部の空気流路において、上述の清浄部３１０は、加湿部３２０の前端に配置することができるが、清浄部３１０と加湿部３２０の配置は、必ずしもこれに制限されるものではない。
【０１３０】
また、加湿空気清浄機３００内部の空気流路における清浄部３１０の面積は、加湿部３２０の面積よりも広くすることができる。この場合、加湿空気清浄機３００の内部に流入される空気は、清浄部３１０のみを通過することもでき、清浄部３１０と加湿部３２０の双方を通過することもできる。換言すると、加湿空気清浄機３００内部の空気流路は、清浄部３１０のみを通過する第１流路（図１１に示すＰ１）と、清浄部３１０と加湿部３２０の双方を通過する第２流路（図１１に示すＰ２）に区分されることができる。
【０１３１】
送風部３３０は、空気の流れを形成して、外気が加湿空気清浄機３００の内部に流入されるようにするためのもので、送風ファンと、これを駆動するためのモータとを含むことができる。ここで、送風ファンは、モータによって回転され、空気の流れを形成することができる。モータの動作は、後述の制御部３６０によって制御されることができる。
【０１３２】
可変流路部３４０は、制御部３６０の制御に応じて加湿空気清浄機３００内部の空気流路の一部を選択的に開閉するためのものである。例えば、可変流路部３４０は、上述の第１流路を開閉することができる。可変流路部３４０の具体的な構成及び動作は、図１１〜図１３を参照しながら後述する。
【０１３３】
センサー部３５０は、加湿空気清浄機３００が設置される空間の空気の質や環境などの情報などを得るための、様々なセンサーで構成される。
【０１３４】
例えば、センサー部３５０は、加湿空気清浄機３００が設置される空間の空気中の湿度を測定する湿度センサーを含むことができる。
【０１３５】
センサー部３５０は、測定信号を制御部３６０に伝達して、制御３６０が、後述するように加湿空気清浄機３００の動作を制御するようにすることができる。
【０１３６】
制御部３６０は、加湿空気清浄機３００の動作を制御するためのもので、例えば、中央処理装置（ＣＰＵ）、グラフィック処理装置（ＧＰＵ）、マイクロプロセッサ、注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙｓ、ＦＰＧＡ）などのプロセッサで実現されることができ、各種のデータを保存するためのメモリを備えることができる。
【０１３７】
例えば、制御部３６０は、ユーザーからの入力、またはセンサー部３５０から伝達された信号などに基づいて加湿空気清浄機３００の動作を制御することができ、加湿空気清浄機３００が加湿動作を行う間、可変流路部３４０の動作を制御することができる。
【０１３８】
具体的には、制御部３６０は、加湿空気清浄機３００の加湿動作を開始するとき、図１１を参照しつつ後述するように、可変流路部３４０を制御して加湿空気清浄機３００の流路の一部を閉鎖することができる。これにより、より多くの空気が加湿部３２０を通過するようにして、加湿効率を向上させることができる。
【０１３９】
また、制御部３６０は、加湿空気清浄機３００が加湿動作を行う間、センサー部３５０が周期的に現在の湿度を測定するように制御し、測定された現在の湿度が予め設定された適正湿度範囲（例えば、４０％〜６０％）内に含まれるなら、図１２を参照しつつ後述するように、可変流路部３４０を制御して加湿空気清浄機３００の流路を開放することができる。これにより、加湿部３２０を通過する空気が減少し、湿度が継続的に高まることを防止して適正湿度が維持される。
【０１４０】
また、制御部３６０は、測定された現在の湿度が予め設定された湿度（例えば、７０％）を超えると、加湿空気清浄機３００の加湿動作を中断することができる。
【０１４１】
図１１は本発明の一実施形態による加湿空気清浄機の流路の一部を閉鎖した場合を示す側断面図であり、図１２は本発明の一実施形態による加湿空気清浄機の流路を開放した場合を示す側断面図である。
【０１４２】
図１１及び図１２を参照すると、ハウジング３０１は、加湿空気清浄機３００の外部構造を形成するもので、ハウジング３０１は、外気をハウジング３０１の内部に流入させるための吸気口３０２と、ハウジング３０１の内気を外部に吐出するための空気吐出口３０３とを備えることができる。
【０１４３】
清浄部を構成する空気浄化フィルター３１１は、ハウジング３０１の内部に設けられて、空気吸入口３０２を介してハウジング３０１の内部に吸入された空気を浄化することができる。空気浄化フィルター３１１は、加湿空気清浄機３００の流路において空気が流れる方向を基準として、後述の加湿フィルター３２２の前端に備えられることができるが、空気浄化フィルター３１１の位置は必ずしもこれに限定されるものではない。
【０１４４】
また、空気浄化フィルター３１１は、後述の第１流路Ｐ１と第２流路Ｐ２とにわたって配置されることができる。これにより、空気浄化フィルター３１１は、第１流路Ｐ１と第２流路Ｐ２を通過する空気を浄化することができる。
【０１４５】
加湿部を構成する水槽３２１と加湿フィルター３２２は、ハウジング３０１の内部に設けられることができる。
【０１４６】
ここで、水槽３２１は、加湿用の水を保存し、後述の加湿フィルター３２２に水を提供することができる。
【０１４７】
加湿フィルター３２２は、これを通過する空気に水分を供給することができる。例えば、加湿フィルター３２２は、下端の一部が水槽３２１に保存された水に漬けられる浸漬型自然気化式フィルターで構成されることができるが、これに限定されるものではない。一例として、加湿フィルター３２２は、回転フィルターで構成されることもできる。
【０１４８】
また、加湿フィルター３２２は、加湿空気清浄機３００の流路において空気が流れる方向を基準として、空気浄化フィルター３１１の後端に配置されることができるが、加湿フィルター３２２の配置は必ずしもこれに限定されるものではない。
【０１４９】
また、加湿フィルター３２２は、後述するように第２流路Ｐ２に配置されて、第２流路Ｐ２を通過する空気に水分を供給することができる。
【０１５０】
送風部を構成する送風ファン３３１は、ハウジング３０１の内部に備えられ、外気が吸気口３０２を介してハウジング３０１の内部に吸入されてから、再び空気吐出口３０３を介して外部に吐出されるように空気の流れを発生させることができる。
【０１５１】
送風ファン３３１は、加湿空気清浄機３００の流路において空気が流れる方向を基準として、後述するように加湿フィルター３２２の後端に備えられることができるが、送風ファン３３１の配置は必ずしもこれに限定されるものではない。
【０１５２】
第１流路Ｐ１は、ハウジング３０１の内部空間のうち一部分であり、空気浄化フィルター３１１だけを通過した空気が、送風ファン３３１に流れる流路である。
【０１５３】
また、第２流路Ｐ２は、ハウジング３０１の内部空間のうち第１流路Ｐ１を除いた残りの部分であり、空気が空気浄化フィルター３１１と加湿フィルター３２２とを通過した後に、送風ファン３３１に流れる流路である。
【０１５４】
図１１及び図１２に示すように、第１流路Ｐ１と第２流路Ｐ２は、ハウジング３０１の内部流路において互いに隣接して平行に形成されることができる。換言すると、第１流路Ｐ１と第２流路Ｐ２の概念は、送風ファン３３１によって空気が流れる流路において、加湿フィルター３２２が配置される部分と配置されていない部分とを区分するものである。第１流路Ｐ１と第２流路Ｐ２は、その間に空気の往来がないように構造物などにより物理的に分離されたものではない。
【０１５５】
可変流路部３４０は、ハウジング３０１の内部に備えられ、第１流路Ｐ１を開閉することができる。
【０１５６】
かかる可変流路部３４０は、図１３に示すように、ガイド膜３４１と駆動モータ３４２とを含むことができる。
【０１５７】
ここで、ガイド膜３４１は、第１流路Ｐ１上に備えられ、第１流路Ｐ１に流動する空気をガイドすることができるプレート状の部材で、第１流路Ｐ１において空気浄化フィルター３１１と送風ファン３３１の間で回転可能に備えられることができる。例えば、ガイド膜３４１は、ハウジング３０１内部のフレームに備えられた回転軸の支持部に回転可能に結合されることができる。
【０１５８】
ガイド膜３４１は、図１１に示すように下方に回転して第１流路Ｐ１を閉鎖する場合、加湿フィルター３２２側に向かって下方傾斜して配置されることができ、図１２に示すように上方に回転して第１流路Ｐ１を開放する場合、加湿フィルター３２２の反対側、すなわち、第１流路Ｐ１の上部に向かって上方傾斜して配置されることができる。
【０１５９】
駆動モータ３４２は、ガイド膜３４１の回転軸に連結されてガイド膜３４１を回転させるためのもので、例えば、回転角度を調節できるステッピングモータで構成されることができる。駆動モータ３４２の動作は、制御部によって制御されることができる。
【０１６０】
図１４は本発明の他の実施形態による加湿空気清浄機の動作方法のフロー図である。
【０１６１】
図１４を参照すると、加湿空気清浄機の加湿動作が開始されると（Ｓ３１０）、加湿空気清浄機の流路の一部、すなわち、可変流路を閉鎖して（Ｓ３２０）、より多くの空気が加湿フィルターを通過するようにする。
【０１６２】
その後、加湿空気清浄機が加湿動作を行う間、周期的に現在の湿度を測定し（Ｓ３３０）、測定された現在の湿度が予め設定された適正湿度範囲（例えば、４０％〜６０％）内に含まれるなら（Ｓ３４０）、可変流路を開放して（Ｓ３５０）、上述のＳ３３０の段階を再び始める。
【０１６３】
一方、測定された現在の湿度が予め設定された湿度（例えば、７０％）を超えると（Ｓ３６０）、加湿空気清浄機の加湿動作を中断する（Ｓ３７０）。
【０１６４】
図１４を参照して上述した加湿空気清浄機の動作方法は、加湿空気清浄機に搭載されたプロセッサなどのハードウェアによって行われることができる。
【０１６５】
本発明は、上述の実施形態及び添付の図面によって限定されるものではない。本発明が属する技術分野において通常の知識を有する者が、本発明の技術的思想を外れない範囲内で本発明による構成要素を置換、変形及び変更ができることは明確である。
【図１】
2018500531.tif 000003
【図２】
2018500531.tif 000004
【図３】
2018500531.tif 000005
【図４】
2018500531.tif 000006
【図５】
2018500531.tif 000007
【図６】
2018500531.tif 000008
【図７】
2018500531.tif 000009
【図８】
2018500531.tif 000010
【図９】
2018500531.tif 000011
【図１０】
2018500531.tif 000012
【図１１】
2018500531.tif 000013
【図１２】
2018500531.tif 000014
【図１３】
2018500531.tif 000015
【図１４】
2018500531.tif 000016
【国際調査報告】
2018500531.tif 000017
2018500531.tif 000018
2018500531.tif 000019
2018500531.tif 000020